(57)【要約】【課題】本発明は、送信部のソースのクロックに関連する時間情報を送信する方法に関する。【解決手段】その方法は、ソースのクロックに関連受信部の復号化器のクロックを従属させるように用いられる時間情報を挿入するようにソースを認定するために固定レイテンシ指示信号を用いる段階を有する。【選択図】図３
2007215180.tif 000002
【特許請求の範囲】
【請求項１】
データバーストフレーム化リンクにおいて、画像の再構成が意図されたソースのクロックに関する時間情報を送信する方法であって、レイテンシデータ指示が固定された２値制御信号は前記ソースに関連する送信器により送信され、そして時間情報データはこの信号の受信に続いてソースにより挿入される、時間情報を送信する方法。
【請求項２】
請求項１に記載の時間情報を送信する方法であって、前記画像は、送信器に関連する受信部分のレベルで再構成され、そして前記時間情報データは、前記ソースのクロックに前記受信部分の復号化器のクロックを従属させるように用いられる、ことを特徴とする時間情報を送信する方法。
【請求項３】
請求項１に記載の時間情報を送信する方法であって、固定レイテンシを有する前記時間情報データは、前記データバーストフレームのヘッダにおいて送信されるデータである、ことを特徴とする時間情報を送信する方法。
【請求項４】
請求項１に記載の時間情報を送信する方法であって、固定レイテンシを有する前記時間情報データは、プリアンブル又はミッドアンブルの挿入により時間的に乱されないデータである、ことを特徴とする時間情報を送信する方法。
【請求項５】
請求項１に記載の時間情報を送信する方法であって、前記ソースは、挿入するための認定に対応する前記２値制御信号の受信まで、固定レイテンシを有する前記時間データの生成及び挿入を遅延させる、ことを特徴とする時間情報を送信する方法。
【請求項６】
請求項１に記載の時間情報を送信する方法であって、自動反復を有するシステムにおいて、挿入するための認定に対応する固定レイテンシ２値信号の受信に関する時間情報要求の後に、ソースは新しい時間情報信号を伴う固定レイテンシを有する時間データを挿入する、ことを特徴とする時間情報を送信する方法。
【請求項７】
ソース及び送信器を有する送信部と、受信器及び復号化器を有する受信部とを有するデジタルデータ通信システムであって、前記送信部は、前記復号化器のクロックが前記ソースのクロックに従属されるようにする前記復号化器に前記ソースの前記クロックを関連付ける固定レイテンシ時間データを送信するように、非同期データが交換されるようにする、所謂、デカップリングメモリと、ソース固定レイテンシ指示情報に送信するための少なくとも１つのスケジューラ要素とを有する、前記ソースと前記送信器との間の非同期データインターフェース装置を有することを特徴とするデジタルデータ通信システム。
【発明の詳細な説明】
【技術分野】
【０００１】
本発明は、復号化器による画像の再構成のために意図されたデジタル通信システムの送信部によるデータバースト（バースト的）における時間情報を送信する方法に関する。
【０００２】
特に、本発明は、映像リンクであって、復号化器による画像の再構成のために必要な時間情報が規則的に挿入される、映像リンクに関する。
【背景技術】
【０００３】
デジタル通信システムは、固定長又は可変長のフレームを生成するように共にグループ化されたバーストを有する、送信器及び受信器間のデータを搬送するためのバースト的リンクを使用する。そのようにバースト的にフレーム化されたリンクの構造が図１に示されている、各々のフレーム（フレーム＃１、フレーム＃２）は、それ故、固定長又は可変長であることが可能である及び受信器に既知であるヘッダ１から始まる幾つかのデータバースト（バースト＃１、バースト＃２、バースト＃３）を共にグループ化する。
【０００４】
バーストは、送信されるべき有用なデータに加えて、各々のフレームのプリアンブル２及びミッドアンブル３において共にグループ化されるリンクに関連する情報データを有する。この情報データの挿入は、レイテンシとも呼ばれる、バースト的リンクに影響を与える遅延の一原因である。リンクの最大レイテンシと最小レイテンシとの間の差はジッタと呼ばれる。
【０００５】
したがって、連続的リンクの場合、リンクのレイテンシは一定であり、ジッタは０である。
【０００６】
しかしながら、バースト的フレームか又はリンクにおいては、送信されるべきデータは、何れの時間に、及び特に、リンク用情報がヘッダ、プリアンブル又はミッドアンブル内に送信されるときに挿入されることができるため、ジッタは原理的に０でない。
【特許文献１】独国特許第１０２６０８０７Ａ１号明細書
【特許文献２】米国特許出願公開第２００５／１９０７９７Ａ１号明細書
【発明の開示】
【課題を解決するための手段】
【０００７】
本発明により影響されるシステムのアーキテクチャを、図２に示している。
【０００８】
送信部はソースＳ及び送信器Ｅを有する。ソースＳは、送信器Ｅに送信されるべきデータを供給する。送信器は多層構造を有し、特に、中間アクセス制御層（ＭＡＣ層）と物理層（ＰＨＹ層）を有する。中間アクセス制御層（ＭＡＣ層）は、データバーストを生成することについて及びそれらの送信時間についての役割を果たす。物理層（ＰＨＹ層）は、ＭＡＣ層によりフォーマットされたデータのチャネルコーディング及び変調の役割を果たす。
【０００９】
ソースＳのペースを調整するクロックＴｓｒｃ及び送信器Ｅのペースを調整するクロックＴｔｘは非同期であり、ソースにより供給されるデータは、送信器の入力における何れの瞬間に及び、特にＭＡＣ層又はＰＨＹ層がそれら（ヘッダ、プリアンブル、ミッドアンブル）に特定のデータを挿入するときに到達する。上記のように、これは、バースト的リンクに影響するジッタの一原因である。
【００１０】
受信器Ｒはまた、データバーストの受信についての役割を果たす中間アクセス制御層（ＭＡＣ層）、データの復調化及びチャネル復号化についての役割を果たす。それ故、データは、受信器Ｒによりバーストから抽出され、次いで、そのデータが復号化される復号化器Ｄに供給される。
【００１１】
受信器の終了時に、受信器Ｔｒｘ及び復号化器Ｔｄｅｃのクロックはまた、非同期である。
【００１２】
ここで、復号化器のクロックＴｄｅｃは、ソースのクロックＴｓｒｃに、後者により送信されたデータを適切に使用することができるように、従属される必要がある。
【００１３】
この同期化を確実にするように、ソースは、データにそのクロックに関連した時間情報を挿入する（又は、その同期化をより単純にするように、そのクロックの時間を規則的に送信する）。この情報を使用して、復号化器は、データを生成したソースのクロックに
それ自体のクロックを従属させる。
【００１４】
ソースのクロックにおいて同期化されることができる復号化器のクロックについて、それ故、ソースにより送信された時間情報が０のジッタを有する復号化器により受信されることは重要である。
【００１５】
今日、バースト的リンクにおいて０のジッタを有するそのような情報を送信するために、２つの種類の技術が用いられている。
【００１６】
それら２つの技術は、リンクの時間ジッタを吸収するように、受信器にメモリブロック（バッファ）を加えることにあるか又は、送信時間の変動性を考慮するように、ソースにより送信される時間情報を修正する（リスタンプする）ことにある。
【００１７】
所謂“バッファ”型技術、即ち、メモリにデータバーストを入れることにある技術の場合には、データは、データが到達するペースで、常にメモリ（ＦＩＦＯ）に書き込まれる。読み取りは、その場合に、完全に規則的なペースで映像復号化器にデータバーストを供給する物理層の主導か又は、バーストが必要であるとみなされるときにバーストについての物理層を要求するための基礎としてクロックを使用する映像復号化器の主導で行われることが可能である。
【００１８】
この技術を用いる主な問題点は、このメモリブロックのサイズにある。実際には、有効であるように、メモリブロックは、リンクの最大ジッタを補償することができるような方法で必要なサイズにされる必要がある。
【００１９】
所謂“リスタンピング”型技術は、時間基準の計算に基づいている。時間情報を有するデータバーストが送信器に到達する瞬間に、後者は、クロックにその時間を書き留め、そして送信データにこの時間を書き込む。ソースの時間情報が受信器に到達するとき、その到達時間が記録され、送信持続時間が、次いで、その到達時間とその出発時間との間の差分を単純に算出することにより計算される。ソースから復号化器に送信された時間情報は、次いで、送信持続時間を考慮して修正される（リスタンプされる）。復号化器は、その場合、それ自体のクロックをソースのクロックに従属させるように、信頼性高い時間基準を有する。
【００２０】
このリスタンピング型技術を用いる主な困難性は、通過時間の計算が補正されるように、受信器のクロックを送信器のクロックに従属させることにある。これは、このブロックを複雑にする受信終了時におけるデジタルＰＬＬ（位相同期ループ）の実施を必要とする。更に、この同期を確実にするように、送信器と受信器との間で規則的に渡されなければならない時間データは、リンクの過剰データと、その結果としての全体的容量における僅かな減少とをもたらす。
【００２１】
本発明は、それらの問題点を改善することを目的とする。
【００２２】
本発明は、データバーストフレーム化リンクにおいて、画像の再構成を意図された、ソースのクロックに関連する時間情報を送信する方法である。レイテンシデータインジケータが固定された２値制御信号は、ソースと関連する送信器により送信され、時間情報データは、この信号の受信に続いて、ソースにより挿入される。
【００２３】
本発明は、基本的に、非ゼロのジッタを表すバースト的リンクにおいて、固定レイテンシを有するソースのクロックに関連する時間情報全ての送信を確実にする有利点を有する。
【００２４】
好適には、固定レイテンシを有するデータは、フレームのヘッダにおいてデータ送信される。そのデータは、プリアンブル又はミッドアンブルの挿入により一時的に乱されないデータであることが可能である。
【００２５】
好適には、自動反復を有するシステムにおいて、ソースは、挿入される認証に対応する固定レイテンシ２値信号の受信に関連する時間情報要求の後に、新しい時間情報信号を伴う固定レイテンシを有する時間データを挿入する。
【００２６】
本発明はまた、非同期データが交換されることが可能である、所謂、デカップリングメモリを有するデジタル通信システムの送信部の送信器とソースとの間の非同期データインターフェース装置に関する。その装置はまた、それがソースのクロックに関連する固定レイテンシ時間データを送信するように、ソースに固定レイテンシインジケータ情報を送信するために少なくとも１つのスケジューラ要素を有する。
【００２７】
本発明は、例えば、受信バッファを付加することにより、リンクの平均レイテンシを増加させないことを可能にする。
【００２８】
好適には、固定レイテンシ時間データは、復号化器（ＴＤＥＣ）のクロックがソースのクロックに従属されることを可能にする復号化器による画像の再構成について意図される。
【００２９】
本発明はまた、送信データの特定の数量による画像の再構成のためにのみ、復号化器のクロックがソースのクロックと同期化されることが必要であるために、受信器のクロックの送信器のクロックとの同期を回避することが可能であるようにする。
【００３０】
上記の及び他の本発明の特徴及び有利点については、以下、添付図に関連して与えられる説明を読むことにより更に明らかになる。
【発明を実施するための最良の形態】
【００３１】
ソースにより送信されるデータの適切な使用を行うことができるように、復号化器のクロックはソースのクロックに従属される必要がある。それ故、ソースにより送信された時間情報は、全く高信頼性を有するように、０のジッタを有する復号化器により受信されることが必要である。
【００３２】
図３は、本発明の方法の有効な例示としての実施形態を示している。
【００３３】
従来、ソースＳと送信器Ｅとの間の交換は、所謂、デカップリングバッファメモリ、例えば、所謂、ＦＩＦＯ（ファーストインファーストアウト）メモリを用いて実施される。そのようなデカップリングメモリは、データの書き込み及び読み取りに関するクロックドメインの復調により特徴付けられる。書き込み信号が送信された後に、ソースからのデータは、ソースクロックＴＳＲＣにより与えられるレートでメモリに書き込まれる。送信器は、読み取り信号を生成することによりバッファメモリに記憶されているデータにアクセスする。また、指示を満たすバッファメモリがまた、存在する。実際には、そのメモリがフルである場合、メモリフル指示が、もはやデータを送信することができないソースに送信される。
【００３４】
同様に、送信器は、そのメモリに情報が存在しないときに、空である通知を受信する。ソースのクロックＴｓｒｃはそのクロックのペースでデータを書き込むようにバッファメモリに適用され、ソースのクロックと非同期の送信器のクロックＴｘは読み取りのペースを調整するため、データの書き込み及び読み取りは非同期で行われる。
【００３５】
バースト的リンクにおいては、送信器により、特に、ＭＡＣ層により認識された一部のデータバーストは、完全に固定されたレイテンシを伴って送信される。この場合、データの読み取りと書き込みとの間の遅延は既知の固定パラメータである。送信器は、この遅延の源を通知することができる。この情報を送信するように、固定レイテンシ指示ＩＬＦを与える２値制御信号が送信される送信器とソースのリンクが形成される。この信号は、完全に固定されたレイテンシを有する、乱すリスクを伴わない重要な時間情報を送信することが可能である時間の源について知らせる。
【００３６】
そのような場合は、バースト的フレームかリンクにおいては、フレームのヘッダにおける送信データの、又は、プリアンブル又はミッドアンブルの付加による付加遅延を伴わない送信データの場合である。
【００３７】
固定レイテンシ指示の受信に続いて、ソースのクロックに関連する時間情報の全ては、それ故、固定レイテンシを伴って送信される。
【００３８】
この情報を用いて、復号化器は、データを生成するソースのクロックＴＳＣに復号化器自体のクロックＴＤＥＣを従属させることができ、復号化器のクロックは、それ故、ソースのクロックに対して同期化される。
【００３９】
そのことが可能でない場合、このデータの生成及び送信は、送信器がこの搬送に対して好適な指示を供給するまで、遅延される。
【００４０】
送信器は、ＦＩＦＯメモリのサイズを考慮し、それ故、指示信号を適切に生成するようにそれを認識する必要がある。この実施形態においては、それ故、ソースの部分におけるのではなく、送信器を有する部分におけるＦＩＦＯメモリを実施することが好適である。
【００４１】
固定レイテンシを伴って送信されるデータバーストの数は、ソースが時間情報を規則的に送信することができるように十分である必要がある。復号化器は、その場合、同期化されたまま維持され、そして、このために、ソースにより送信されるデータの使用は乱されない。
【００４２】
本発明は、例えば、符号化器又は専用記憶要素（映像サーバ）と、ストリームを送信する又はスクリーンに表示する前にストリームを復号化する役割を果たす映像復号化器との間の映像リンクの場合に、完全に適用可能である。
【００４３】
符号化器が、例えば、ＭＰＥＧ（Ｍｏｖｉｎｇ  Ｐｉｃｔｕｒｅ  Ｅｘｐｅｒｔｓ  Ｇｒｏｕｐ）型である場合、送信されるべき重要な時間情報はＰＣＲ（Ｐｒｏｇｒａｍ  Ｃｌｏｃｋ  Ｒｅｆｅｒｅｎｃｅ）バーストの名前で認識される。
【００４４】
本発明の拡張の種々の実施例は、特に、リンクが双方向的であるときを想定することができる。この場合、ソースのクロック及び復号化器のクロックは同期化されたまま保たれている。“戻り”リンクについての、最初の復号化器に関連する新しいソースは前者のクロックを用い、それ故、最初のソースに関連する新しい復号化器のクロックと同期化されたまま保たれる。
【００４５】
そのソースは、本発明において上記した機構を用いてそれ自体に固有の時間情報を規則的に送信する。復号化器は、その場合、この時間情報をそれに対して固有である時間情報と比較し、ソースのクロックに適用されるべき補正を計算し、そして、システムの戻りチャネルを用いてソースにこの情報を送信する。復号化器により送信される調整情報は、影響される従属機構を伴わずに、時間ジッタを支援することができる。
【００４６】
他の実施例は、集合ＡＲＱ（Ａｕｔｏｍａｔｉｃ  ＲｅＱｕｅｓｔ（反復のための））プロトコルを有するシステムに関する。それらのシステムは、エラーのないデータ送信のために使用される。図４は、そのような本発明の実施形態の例である。
【００４７】
双方向バースト的リンクの場合、所定の位置に置かれた反復（ＡＲＱ）システムについての自動要求はリンクの全体的ジッタに大きく寄与する。実際には、データを反復することはジッタの増加に繋がる。送信器は、重要な時間情報が搬送されるデータバーストが反復（ＡＲＱ）システムについての自動要求に含まれないときにのみ、その重要な時間情報を送信するように、ソースを認定する必要はない。送信器は、そのような特定のデータについて非アクティブにされる。
【００４８】
他の有効は、重要な時間情報を搬送するデータバーストがよりロバストはチャネル符号化を伴って符号化されるとき、その重要な時間情報を送信するように、ソースを認定することにある。反復フェーズを用いる必要のない適切な受信の有効性は、それ故、高い。
【００４９】
反復が必要であり、この反復を無効にすることが可能でない場合、同じ時間情報が数回、送信される。受信においてその反復を無効にするための機構が、その反復が従属化を乱さないように導入される。
【００５０】
何れにしても、そして図４に示しているように、時間情報を交換することを可能にする交換機構が設定される。図３に関連して上記した実施例の原理にしたがって、ソースのクロックＴｓｒｃは、デカップリングメモリ、例えば、ＦＩＦＯ型メモリの書き込みのペースを調整する。クロックＴｓｒｃと非同期の送信器のクロックＴｘは、そのメモリからのデータの読み取りのペースを調整する。本発明の原理は、固定レイテンシ情報を搬送する信号の受信において及び時間情報についての送信器からの要求ＲＩＴ（時間情報要求）に続いて、有効な情報の送信を確実にするように、ソースがクロックに関する新しい時間情報ＮＩＴを送信するためのものである。
【００５１】
本発明の実施の他の実施例が想定され、その実施形態について、幾つかのシステムの同期化が固定レイテンシ時間データの送信により想定される。
【図面の簡単な説明】
【００５２】
【図１】バースト的フレーム化リンクの時間構造を示す図である。
【図２】本発明により影響されるシステムのアーキテクチャを示す図である。
【図３】本発明の方法の有効な実施形態を示す図である。
【図４】本発明の他の実施形態の実施例を示す図である。
【符号の説明】
【００５３】
Ｄ  復号化器
Ｅ  送信器
Ｒ  受信器
Ｓ  ソース
【図１】
2007215180.tif 000003
【図２】
2007215180.tif 000004
【図３】
2007215180.tif 000005
【図４】
2007215180.tif 000006